(57)【要約】【課題】  本体部に配設したずれ防止シートを鼻背に密接させることにより、本体部がずり落ちることを防止し、しかも繰り返し着脱可能なマスクを提供する。【解決手段】  マスク１は、両鼻孔及び口を覆うように装着される本体部２と、その本体部２の両側に耳に掛けるための耳掛紐３とを有している。このマスク１の上端側の内面には柔軟性を有するずれ防止シート５が配設されている。ずれ防止シート５は、装着されたときに少なくとも一部が鼻背部９に密接するように表面が略鏡面状に形成されている。ずれ防止シート５は肉薄なシートによって形成され、しかも柔軟性を有している。【選択図】  図１
2008212432.tif 000002
【特許請求の範囲】
【請求項１】
両鼻孔及び口を覆うように装着される本体部と、その本体部の両側に耳に掛けるための耳掛紐とを有するマスクであって、
このマスクの上端側の内面には柔軟性を有するずれ防止シートが配設され、
上記ずれ防止シートは、装着されたときに少なくとも一部が鼻背部に密接するように表面が略鏡面状に形成されていることを特徴とするマスク。
【請求項２】
上記ずれ防止シートは、シリコン、ウレタン、スチレン等の合成樹脂または合成ゴム、或いは天然ゴムからなる柔軟性を有する肉薄なシートによって形成された請求項１に記載のマスク
【請求項３】
上記ずれ防止シートとマスクの上端の内面側には、粘着剤や接着剤により接着剤層が形成され、上記接着剤層は上記ずれ防止部材の中央側に形成され、上端及び下端には上記接着剤層が形成されない非接着部を設けた請求項１及び２に記載のマスク。
【請求項４】
上記ずれ防止シートは、マスクの上端の内面側に縫製または熱溶着により固定した請求項１及び２に記載のマスク。
【発明の詳細な説明】
【技術分野】
【０００１】
本発明は、両鼻孔及び口を覆うように装着されるマスクに関する。
【背景技術】
【０００２】
風邪をひいた場合や花粉症にかかった場合には、冷たい外気や外部の菌や大気に混じる花粉等が体内に侵入するのを防止 するために、通常はマスクをかける。マスクは一般に四角い平面状のガーゼ等の柔軟性のある素材からなる本体部と、その本体部の両側に取り付けた耳掛紐とによって構成されている。マスクの本体部の素材には、ガーゼの他に、手術用や各種作業用の使い捨てマスク用には、樹脂不織布等を使用するものがある。本体部で鼻と口とを覆って耳掛紐を両耳に掛けると、その耳掛紐の引っ張り力によって本体部は左右に引っ張られ、本体部は顔の外面の沿った形状に変形し、鼻と口とは本体部で覆われる。
【０００３】
一般にマスクは山形の鼻とそれに続く頬、及び口を覆うように装着される。ところが、口や頬の動きに伴って、マスクの本体部が下方にずれてくるという欠点があった。食品工場や粉塵の多い場所での作業や手術等では、両手が塞がっており、本体部の下降のずれを直すことができないという不具合があった。
【０００４】
この欠点を修正するために、本体部の上縁付近や両側縁に針金等の変形可能な部材を入れ、手で針金等を鼻や頬の外形に合致するよう変形させて、本体部の外縁を鼻や頬の外形に密着させて、本体部が下方にずり落ちないようにしたものが提供されている。しかし、針金等を本体部の内部に入れたものでは、手で整形するのに時間がかかり、その上、針金等は剛体であるために鼻の一部を圧迫して不快感を与えることがある。
【０００５】
また、マスクの本体部が使用者の鼻孔及び口を覆う状態となるので、使用者自身が吐出した息（吐息）がマスクの内面に沿って上昇する。このため、使用者がメガネを着用している場合には自らの吐息でメガネのレンズを曇らせてしまう問題がある。特開２００６−２８８６５０号公報（特許文献１）には、上記問題を解決することを目的として、両鼻孔及び口を覆う大きさを有するマスク本体が装着されたときに鼻孔よりも上方となる部分に粘着層を備えることが提案されている。
【０００６】
このように、マスクの本体部に備えた粘着層を使用者の顔面に張り付けることで吐息の上昇を防止し、その結果、マスクより上に位置するメガネの曇を抑制し、また、マスクの位置がずれることを防止できる。
【０００７】
しかしながら、粘着剤を鼻や頬の皮膚に貼着したときには、多数の使用者が使用時に不快感を覚え、長時間の使用に耐えられないといった問題がある。しかも、上記マスクを離脱してときに、粘着剤の一部が皮膚に付着することがあり、この粘着剤を除去するには特別な溶剤を使用しなくてはならず、皮膚の組織を損傷させることがある。さらに、粘着剤を一旦鼻や頬の皮膚に貼着した後は、粘着力が著しく低下し、繰返して使用することができず、結局は新しいマスクを使用しなければならず、不経済になる問題もある。
【０００８】
【特許文献１】特開２００６−２８８６５０号公報
【発明の開示】
【発明が解決しようとする課題】
【０００９】
本発明が解決しようとする課題は、本体部に配設したずれ防止シートを鼻背に密接させることにより、本体部がずり落ちることを防止し、しかも繰り返し着脱可能なマスクを提供することにある。
【課題を解決するための手段】
【００１０】
そこで、本発明に関わるマスクは、両鼻孔及び口を覆うように装着される本体部と、その本体部の両側に耳に掛けるための耳掛紐とを有するマスクであって、
このマスクの上端側の内面には柔軟性を有するずれ防止シートが配設され、
上記ずれ防止シートは、装着されたときに少なくとも一部が鼻背部に密接するように表面が略鏡面状に形成されている。
【００１１】
また、上記ずれ防止シートは、柔軟性を有するシリコン、ウレタン、スチレン等の合成樹脂または合成ゴム、或いは天然ゴムからなる肉薄なシートによって形成されている。
【００１２】
また、ずれ防止シートとマスクの上端の内面側には、粘着剤や接着剤により接着剤層が形成され、上記接着剤層は上記ずれ防止部材の中央側に形成され、上端及び下端には上記接着剤層が形成されない非接着部を設けている。
【００１３】
さらに、上記ずれ防止シートは、マスクの上端の内面側に縫製または熱溶着により固定される。縫製または溶着する位置は上記ずれ防止シートの両側が好ましい。
【発明の効果】
【００１４】
本発明によれば、マスクを装着したとき、上端側の内面に配設した柔軟性を有するずれ防止シートが、鼻背に当接するので、マスクが下方にずれることがなくなり、マスクの位置を安定させることができる。ずれ防止シートは、鼻背に当接する表面が略鏡面状に形成されているので、鼻背の皮膚の少なくとも平滑な一部が、ずれ防止シートの鏡面部分と密接するので、下方へのずれが防止される。また、ずれ防止シートの鼻背に当接する表面には、粘着剤や接着剤がないので、長時間使用しても不快感を与えることが少なく、しかも、粘着剤の一部が皮膚に付着することもなくなる。さらに、マスクを複数回繰り返して使用したとき、或いは、洗濯したときにも、密接状態が減少することがないので、経済的になる。
【００１５】
ずれ防止シートがシリコン、ウレタン、スチレン等の合成樹脂または合成ゴム、或いは天然ゴムからなる肉薄なシートによって形成され、しかも柔軟性を有しているので、鼻背の形状に柔軟に対応するので、使用時の違和感を解消することができる。
【００１６】
また、マスクの上端の内面側にずれ防止シートを配設するとき、ずれ防止シートには、上端及び下端には非接着部が形成されているので、マスクの装着により、ずれ防止シートを鼻背に当接させたときに、万一接着剤が拡散しようとしても、非接着部によって接着剤が鼻背まで漏出することを防止するので、使用者の不快感を未然に防止することが可能となる。
【００１７】
さらに、上記ずれ防止シートを、縫製または熱溶着によりマスクの上端の内面側に固定することにより、接着剤や粘着剤が接触したときの不快感を未然に防止することができ、しかも、接着剤や粘着剤等の剥離により離脱することが少なくなり、強固に固定することが可能となる。
【発明を実施するための最良の形態】
【００１８】
マスクは、両鼻孔及び口を覆うように装着される本体部と、その本体部の両側に耳に掛けるための耳掛紐とを有している。このマスクの上端側の内面には柔軟性を有するずれ防止シートが配設されている。上記ずれ防止シートは、装着されたときに少なくとも一部が鼻背部に密接するように表面が略鏡面状に形成されている。上記ずれ防止シートは、シリコン、ウレタン、スチレン等の合成樹脂または合成ゴム、或いは天然ゴムからなる肉薄なシートによって形成され、しかも柔軟性を有している。また、上記ずれ防止シートは、粘着剤や接着剤によりマスクの上端の内面側に接着剤層が形成され、上記ずれ防止部材の上端及び下端には上記接着剤層が形成されない非接着部が形成されていて、ずれ防止シートを鼻背に当接させたときに、万一接着剤が拡散しても非接着部が鼻背まで漏出しないように防止される。
【００１９】
以下、図面に基づいて本発明の実施例を詳細に説明する。図１に示すマスク１は、両鼻孔及び口を覆うことができる大きさに設定された略長方形状の本体部２と、この本体部２の両側に設けた耳掛け用のゴム３、３とを備えている。本体部２は、従来のマスクと同様に通気性を備え、埃や花粉を捕捉するフィルタ機能を備えた素材によって形成されている。このような素材としては、不織布が多用されている。その他の素材としては、例えばガーゼ、合成繊維等の人工繊維、紙、合成紙等が採用できる。これらの素材は、必要に応じて多層に形成してもよく、また、異なる素材を組合せた積層構造としてもよい。上記耳掛け用のゴム３、３も樹脂不織布等の熱溶着可能な素材を採用しても良い。
【００２０】
本体部２は、長辺に平行に沿って折りたたむことにより複数の折り目２ａが設けられ、そして、折り目２ａの両端部は、例えば熱溶着可能な不織布を素材とした帯状部材２ｂ、２ｂによって溶着、接着、縫製等により拘束している。複数の折り目２ａは、装着したときに拡幅して、図４に示すように、鼻から口さらに顎を覆うように立体的に形成される。なお、符号４は、塑性変形する例えば針金であり、本体部２の上端側を超音波溶着等により袋状に封止することによって内在されている。
【００２１】
マスク１の本体部２には、長手方向中央の上端側には、内面にずれ防止シート５が配設されている。このずれ防止シート５は、シリコン、ウレタン、スチレン等の合成樹脂または合成ゴム、天然ゴム、或いは、ポリマーやエラストマーからなる柔軟性を有する肉薄なシートによって形成されている。因みに、ずれ防止シート５は、長手方向の長さが２０ｍｍ乃至８０ｍｍ、好ましくは５０ｍｍ程度であり、少なくとも中央部における幅方向の幅が１０ｍｍ乃至３０ｍｍ、好ましくは１５ｍｍ程度の長方形に形成されている。また、ずれ防止シート５の厚さは、０．１ｍｍ乃至２．０ｍｍであり、好ましくは０．５ｍｍに設定されている。
【００２２】
さらに、ずれ防止シート５は、接着剤または粘着剤からなる接着剤層６により本体部２の上端に固定されている。このとき、図３に示すように、ずれ防止シート５の上端が本体部２の上端に一致するように固定することが望ましい。また、接着剤層６は、ずれ防止部シート５の幅方向の中央側に形成され、上端側と下端側には、接着剤のない非接着部６ａが形成されている。また、ずれ防止シート５は、接着剤層６と反対面の表面が略鏡面状に形成されている。これは、マスク１を使用者が装着したときに少なくとも一部が鼻背部に密接させるためである。なお、ずれ防止シート５は、本体部２の上端よりも下方にずらして固定するようにしても良い。
【００２３】
上述した構成からなるマスク１は、図４に示すように、両鼻孔７及び口８を覆うように装着する。このとき、本体部２の上端は鼻背部９に位置し、ずれ防止シート５が鼻背部９に当接する。本体部２は耳掛け用のゴム３によって左右にやや引っ張られることにより、図５に示すように、ずれ防止シート５の中央部分が鼻背部９の頂部付近に所定の幅Ｗで当接し、ずれ防止シート５の両側は、頬から離間もしくは軽く接するようになる。上記鼻背部９は、鼻骨によって皮膚が近似的に鏡面状なっていることから、ずれ防止シート５表面の略鏡面と上記鼻背部９の鏡面部分とは、接することにより面接合状態となって互いに密接する。この結果、マスク１の本体部２が下方にずれ落ちることが未然に防止される。
【００２４】
このように、マスク１を装着したときに、ずれ防止シート５が鼻背部９に適度の圧力で当接すると共に、鼻背部９によって加熱される。ずれ防止シート５の接着剤層６が加熱によって多少流動するようなことがあっても、上端側と下端側には、接着剤のない非接着部６ａが形成されているので、接着剤等が鼻背部９に到達することがなく、使用者に不快感を与えることがない。一方、ずれ防止シート５の両側は、頬から離間もしくは軽く接する程度のため、例え接着剤が流動しても使用者に不快感を与えることがない。
【００２５】
マスク１を繰り返し使用する場合、ずれ防止シート５の表面は、鼻背部９の油脂や汗等によって汚染されることがある。この場合、表面が略鏡面状に形成されているので、紙または布で払拭することにより、以前と同様に使用することができる。つまり、ずれ防止シート５の表面と鼻背部９が面接合して密接状態が維持可能な限り、繰り返し使用することができる。
【００２６】
図６は、立体マスク１０に適用した場合の実施例を示している。立体マスク１０は、両鼻孔及び口を覆うことができる大きさに設定された略半球状の本体部１１と、この本体部１１の両側に設けた耳掛け部１２、１２とを備えている。本体部１１は、従来のマスクと同様に通気性を備え、埃や花粉を捕捉するフィルタ機能を備えた不織布によって形成されている。そして、本体部１１における中央の上端側には内面にずれ防止シート１３が配設されている。この立体マスク１０に使用されるずれ防止シート１３は、図７（Ａ）に示すように、山形状に形成されている。これは、本体部１１の上端側が略山形に形成されているためであり、この上端側にずれ防止シート１３の上端を合致させるためである。
【００２７】
また、上記ずれ防止シート１３も、接着剤または粘着剤からなる接着剤層１４により本体部１１の上端に固定されている。この例においても、接着剤層１４は、ずれ防止部シート５の幅方向の中央側に形成され、上端側と下端側には、接着剤のない非接着部１５が形成されている。また、ずれ防止シート１３は、接着剤層１４と反対面の表面が略鏡面状に形成されている。
【００２８】
このような立体マスク１０であっても、両鼻孔及び口を覆うように装着したとき、ずれ防止シート１３が鼻背部に当接し、ずれ防止シート１３表面の略鏡面と鼻背部の鏡面部分とは、接することにより面接合状態となって互いに密し、この結果、立体マスク１０の本体部１１が下方にずれ落ちが未然に防止されることは前述した実施例と同様である。
【００２９】
図７は、ずれ防止シートの変形例を示している。すなわち、（Ａ）は、前述したように、山形状に形成したずれ防止シート１３を示している。（Ｂ）は、楕円状に形成した防止シート１６を示している。また、（Ｃ）は、例えば発泡ポリウレタンによって中央部分を隆起させた立体形状、或いは、内部を中空に形成して中央部分を隆起させた立体形状に形成したずれ防止シート２０を示している。いずれの例においても、接着剤層１４、１７、２０は、ずれ防止部シートの幅方向の中央側に形成され、上端側と下端側には、接着剤のない非接着部１５、１８，２１が形成されている。また、いずれのずれ防止シートも接着剤層と反対面の表面が略鏡面状に形成されている。
【００３０】
図８は、マスクの本体部における中央の上端側内面にずれ防止シートを縫製によって固定することにより配設した例を示している。この実施例において、ずれ防止シート５は両端側がマスク１の本体部２に、木綿等の糸３０によって縫製されている。図８に示す例においては、ずれ防止シート５の上端側の間隔が狭く、下端側の間隔が広く、また、上端側の間隔は鼻背部９が当接する幅より大きくなるように略ハ字状に縫製している。このように上端側の間隔を狭くすることによって、本体部２が下降したときに生ずる、ずれ防止シート５と本体部２とのずれが少なくなるようにしている。このように縫製することによって、中央部分が鼻背部９の頂部付近に当接し、ずれ防止シート５の両側の縫製部分は、頬から離間もしくは軽く接する程度のため、糸３０によって不快感を与えることがない。また、ずれ防止シート５の中央部分が鼻背部９の頂部付近に密接し、マスク１の本体部２が下方にずれ落ちることを未然に防止することは前述した例と同様である。なお、ずれ防止シート５を縫製する糸３０が、柔らかいものであり、鼻背部９に当接しても違和感がない場合は、ずれ防止シート５の４辺の周囲を縫製しても良い。また、ずれ防止シート５を接着剤または粘着剤による固定と併用して場合は、両側の縫製を平行にしても良い。
【００３１】
図９は、マスクの本体部における中央の上端側内面にずれ防止シートを熱溶着によって固定することにより配設した例を示している。この実施例においては、マスク１の本体部２を樹脂不織布等の熱溶着可能な素材を採用し、ずれ防止シート５も熱溶着可能な素材を採用している。そして、防止シート５は、両端側がマスク１の本体部２に、超音波溶着等によって固定されている。この例においても、ずれ防止シート５の上端側の間隔が狭く、下端側の間隔が広く、また、上端側の間隔は鼻背部９が当接する幅より大きくなるように略ハ字状に溶着している。このように上端側の間隔を狭くすることによって、ずれ防止シート５と本体部２とのずれを少なくすることは図８の例と同様である。このように溶接することによって、ずれ防止シート５の中央部分が鼻背部９の頂部付近に当接し、ずれ防止シート５の両側の溶着部分３１は、頬から離間もしくは軽く接する程度のため、糸３０によって不快感を与えることがない。また、ずれ防止シート５の中央部分が鼻背部９の頂部付近に密接し、マスク１の本体部２が下方にずれ落ちることを未然に防止することは前述した例と同様である。なお、ずれ防止シート５の熱溶着個所が柔軟性を有しているか、或いは、熱溶着個所が陥没していて、鼻背部９に当接しても違和感がない場合は、ずれ防止シート５の４辺の適宜の位置を熱溶着しても良い。また、ずれ防止シート５を接着剤または粘着剤による固定と併用して場合は、両側の溶着を平行にしても良いことも図８の例と同様である。
【００３２】
上述したずれ防止シートは、シリコン、ウレタン、スチレン、ポリウレタン等の合成樹脂または合成ゴム、或いは天然ゴムからなる柔軟性を有する素材によって、肉薄なシート状に形成される。ずれ防止シートとしては、単一素材で形成する他、種々の素材を混合することができる。例えば、ブラックシリカやジャモンストンからなるシリカ鉱物、ゲルマニウムパウダーからなる鉱物の粉体、或いはカプサイシンの粉体等を上記素材に混合し手も良い。これらの副素材を混合した場合、遠赤外線が放射されることから鼻背部を適宜に暖めるので、例えば鼻づまり等の症状が緩和される効果を奏する。また、カプサイシンによって発汗したときは、汗によってずれ防止シートと鼻背部との密接度が向上し、ずれ落ち防止効果をさらに高めることができる。
【産業上の利用可能性】
【００３３】
本発明は、各種のマスクに適用可能である。
【図面の簡単な説明】
【００３４】
【図１】本発明に関わるマスクを示す平面図である。
【図２】図１に示すマスクの部分上面図である。
【図３】図１に示すマスクの部分拡大正面図である。
【図４】本発明に関わるマスクの装着状態を示す概略的側面図である。
【図５】図４に示すマスクの装着状態の部分上面図である。
【図６】本発明に関わるマスクとしての立体マスクを示す斜視図である。
【図７】（Ａ）（Ｂ）（Ｃ）は、ずれ防止シートの変形例を示す説明図である。
【図８】ずれ防止シートを縫製によって固定した状態を示す部分拡大正面図である。
【図９】ずれ防止シートを熱溶着によって固定した状態を示す部分拡大正面図である。
【符号の説明】
【００３５】
１      マスク）
２      本体部
３      耳掛け部
５      ずれ防止シート
６      接着剤層
６ａ    非接着部
３０    糸
３１    溶着部分
【図１】
2008212432.tif 000003
【図２】
2008212432.tif 000004
【図３】
2008212432.tif 000005
【図４】
2008212432.tif 000006
【図５】
2008212432.tif 000007
【図６】
2008212432.tif 000008
【図７】
2008212432.tif 000009
【図８】
2008212432.tif 000010
【図９】
2008212432.tif 000011